(57)【要約】  調理器具の鍋蓋アセンブリ（１００）及び調理器具であって、鍋蓋アセンブリ（１００）は、内蓋（１０）と、頂部が開放されたチャンバ（２０１）が画定され、底壁に排気孔（２２）がある排気ボックス体（２０）と、チャンバの頂部の開口を閉じ、第１位置決めコラム（２１）が設けられ、且つ第１位置決めコラムに気流通路（２１１）が画定される排気ボックス蓋（３０）とを含み、気流通路（２１１）の出口はチャンバ（２０１）に連通し、気流通路（２１１）の入口は抽気装置との連通に適合し、排気ボックス蓋（３０）は第１位置決め孔（３１）を有する。
2021530275.tif 000002
【特許請求の範囲】
【請求項１】
鍋蓋アセンブリにおいて、
内蓋と、
前記内蓋に固定されるとともに、頂部が開放されたチャンバが画定され、底壁に前記チャンバに連通する排気孔を有する排気ボックス体と、
前記チャンバの頂部の開口を閉じるように前記排気ボックス体の頂部に取り付けられる排気ボックス蓋と、を含み、
前記排気ボックス体には第１位置決めコラムが設けられ、且つ前記第１位置決めコラムに気流通路が画定され、前記気流通路の出口は前記チャンバに連通し、前記気流通路の入口は抽気装置との連通に適合し、前記排気ボックス蓋は前記第１位置決めコラムに結合する第１位置決め孔を有する、
ことを特徴とする調理器具の鍋蓋アセンブリ。
【請求項２】
前記排気ボックス体の前記頂部の開口の以外に位置する頂部には支持台があり、前記第１位置決めコラムが前記支持台に設けられる、
ことを特徴とする請求項１に記載の調理器具の鍋蓋アセンブリ。
【請求項３】
前記内蓋に、前記第１位置決めコラムと離間して配置された第２位置決めコラムが設けられ、前記排気ボックス蓋は前記第２位置決めコラムに結合する第２位置決め孔を有する、
ことを特徴とする請求項１または２に記載の調理器具の鍋蓋アセンブリ。
【請求項４】
前記抽気装置は、前記調理器具の調理チャンバが負圧になるように抽気するための真空ポンプを含み、前記真空ポンプは前記内蓋に取り付けられ、且つ前記真空ポンプの入口は抽気孔との連通に適合し、前記真空ポンプの出口は前記気流通路の入口に連通する、
ことを特徴とする請求項３に記載の調理器具の鍋蓋アセンブリ。
【請求項５】
前記真空ポンプの少なくとも一部が前記排気ボックス蓋に取り付けられ、前記真空ポンプは前記第２位置決めコラムに結合する結合孔を有する、
ことを特徴とする請求項４に記載の調理器具の鍋蓋アセンブリ。
【請求項６】
前記排気ボックス体が前記内蓋のフレームに近接して設置され、前記内蓋のフレームに係止用突起があり、前記排気ボックス蓋は、前記内蓋のフレームに向かって延伸し、且つ前記係止用突起に結合する弾性バックルを有する、
ことを特徴とする請求項１〜５のいずれか１項に記載の調理器具の鍋蓋アセンブリ。
【請求項７】
前記排気ボックス蓋の前記排気ボックス体に向く側に環状溝が設けられ、前記環状溝内にはシールリングが設けられ、前記排気ボックス蓋は前記シールリングを介して前記排気ボックス体に密閉接続される、
ことを特徴とする請求項１〜６のいずれか１項に記載の調理器具の鍋蓋アセンブリ。
【請求項８】
前記排気ボックス体及び前記排気ボックス蓋のいずれかには前記チャンバ内に向かって延伸する保持リブが設けられ、前記気流通路及び前記排気孔の、前記排気ボックス体の底壁での投影は前記保持リブの両側に位置し、及び／または、
前記排気ボックス体の底壁の内面にはガイド傾斜面があり、前記ガイド傾斜面は前記排気孔に対して遠方から近方へ徐々に下方に傾斜して延伸し、及び／または、
前記排気ボックス蓋の前記チャンバに向く側には、離間して配置される複数の凸起が設けられている、
ことを特徴とする請求項１〜７のいずれか１項に記載の調理器具の鍋蓋アセンブリ。
【請求項９】
前記鍋蓋アセンブリは前記調理器具の鍋本体に枢動可能に接続されることに適合し、前記第１位置決めコラムは、前記鍋蓋アセンブリの枢動軸に近接し、前記排気孔は前記排気ボックス体の底壁において前記第１位置決めコラムから最も遠い位置に位置する、
ことを特徴とする請求項１〜８のいずれか１項に記載の調理器具の鍋蓋アセンブリ。
【請求項１０】
請求項１〜９のいずれか１項に記載の調理器具の鍋蓋アセンブリを含む、
ことを特徴とする調理器具。
【発明の詳細な説明】
【技術分野】
【０００１】
関連出願の相互参照
本願は、出願番号が２０１８２１６２３８４８．Ｘで、出願日が２０１８年９月３０日である中国特許出願に基づいて提出され、前記中国特許出願の優先権を主張し、その内容の全てが参照によって本願に組み込まれる。
【０００２】
本願は、生活電気機器の技術分野に関し、具体的には、調理器具の鍋蓋アセンブリ及び調理器具に関する。
【背景技術】
【０００３】
関連技術における電気炊飯器は、細菌の増殖を抑制し、米飯の変質を防ぐために、通常、抽気装置が追加され、調理チャンバから抽気して負圧状態を形成することにより、上記の効果を実現する。しかしながら、抽気中に、抽出された蒸気が内蓋とハウジングカバーとの間に直接噴き当たるため、ユーザが非常に大きい気流音を聞いてしまい、その結果、体験の低下につながり、製品に悪影響を及ぼす。また、一定量の凝結水が気体とともに噴出されて、上蓋アセンブリに入ると、電気回路システムの信頼性及び安全性に影響を与え、さらに、ユーザの使用体験にも影響を与えるため、改善の余地がある。
【発明の概要】
【発明が解決しようとする課題】
【０００４】
本願は、従来技術における技術的問題のうちの少なくとも１つを解決することを目的とする。このため、本願の１つの目的は、構造が簡単で、排気騒音も低い調理器具の鍋蓋アセンブリを提供することである。
【０００５】
本願は、上記鍋蓋アセンブリを有する調理器具をさらに提供する。
【課題を解決するための手段】
【０００６】
本願の第１態様の実施例による調理器具の鍋蓋アセンブリは、内蓋と、  内蓋に固定されるとともに、頂部が開放されたチャンバが画定され、底壁に  チャンバに連通する排気孔を有する排気ボックス体と、  チャンバの頂部の開口を閉じるように  排気ボックス体の頂部に取り付けられる排気ボックス蓋とを含み、  排気ボックス体には第１位置決めコラムが設けられ、且つ  第１位置決めコラムに気流通路が画定され、  気流通路の出口は  チャンバに連通し、  気流通路の入口は抽気装置との連通に適合し、  排気ボックス蓋は  第１位置決めコラムに結合する第１位置決め孔を有する。
【０００７】
本願の実施例の調理器具の鍋蓋アセンブリによれば、抽気装置の一端に排気ボックス体を設置することにより、抽気装置は、蒸気が緩やかに放出されることができるように、抽出した気体を先にチャンバ内に排出し、それにより騒音が低減する。そして、凝結水が、チャンバによって収集されて特定の排気孔を介して排出されることができ、電気回路システムの周辺まで流れてその信頼性及び安全性に影響を与えるのを回避する。また、排気ボックス蓋の第１位置決め孔が気流通路を有する第１位置決めコラムに結合することにより、構造が簡素化され、スペースを節約し、取り付けと固定が容易になり、結合の安全性及び信頼性が向上し、ユーザ体験が良い。
【０００８】
本願の実施例の調理器具の鍋蓋アセンブリによれば、  排気ボックス体の  頂部の開口の以外に位置する頂部に支持台があり、  第１位置決めコラムが  支持台に設けられる。
【０００９】
本願の実施例の調理器具の鍋蓋アセンブリによれば、  内蓋に、  第１位置決めコラムと離間して配置された第２位置決めコラムが設けられ、  排気ボックス蓋は  第２位置決めコラムに結合する第２位置決め孔を有する。
【００１０】
一部の実施例において、  抽気装置は、  調理器具の調理チャンバが負圧になるように抽気するための真空ポンプを含み、  真空ポンプは  内蓋に取り付けられ、且つ  真空ポンプの入口は抽気孔との連通に適合し、  真空ポンプの出口は  気流通路の入口に連通する。
【００１１】
一部の実施例において、  真空ポンプの少なくとも一部が  排気ボックス蓋に取り付けられ、  真空ポンプは  第２位置決めコラムに結合する結合孔を有する。
【００１２】
本願の実施例の調理器具の鍋蓋アセンブリによれば、  排気ボックス体が  内蓋のフレームに近接して設置され、  内蓋のフレームに係止用突起があり、  排気ボックス蓋は、  内蓋のフレームに向かって延伸し、且つ  係止用突起に結合する弾性バックルを有する。
【００１３】
本願の実施例の調理器具の鍋蓋アセンブリによれば、  排気ボックス蓋の  排気ボックス体に向く側に環状溝が設けられ、  環状溝内にはシールリングが設けられ、  排気ボックス蓋は  シールリングを介して  排気ボックス体に密閉接続される。
【００１４】
本願の実施例の調理器具の鍋蓋アセンブリによれば、  排気ボックス体及び  排気ボックス蓋のいずれかには  チャンバ内に向かって延伸する保持リブが設けられ、  気流通路及び  排気孔の、  排気ボックス体の底壁での投影は  保持リブの両側に位置し、及び／または、  排気ボックス体の底壁の内面にはガイド傾斜面があり、  ガイド傾斜面は  排気孔に対して遠方から近方へ徐々に下方に傾斜して延伸し、及び／または、  排気ボックス蓋の  チャンバに向く側には、離間して配置される複数の凸起が設けられている。
【００１５】
本願の実施例の調理器具の鍋蓋アセンブリによれば、  鍋蓋アセンブリは  調理器具の鍋本体に枢動可能に接続されることに適合し、  第１位置決めコラムは、  鍋蓋アセンブリの枢動軸に近接し、  排気孔は  排気ボックス体の底壁において  第１位置決めコラムから最も遠い位置に位置する。
【００１６】
本願の第２態様の実施例による調理器具は、本願の第１態様の実施例による調理器具の鍋蓋アセンブリを含み、上記鍋蓋アセンブリの採用により、抽気装置の動作時の騒音を低減し、凝結水が気体とともに噴出されて調理器具の安全性能に影響を与えることを回避し、また、排気ボックスの構造が簡単で、占有スペースが少なく、取り付けと固定が容易になり、取り外しやすく、ユーザ体験が良い。
【００１７】
本願の付加的な態様及び利点は、一部は以下の説明に示され、一部は以下の説明からより明らかになるか、または本願の実践を通じて理解できる。
【図面の簡単な説明】
【００１８】
本願の上記の及び／または付加的な態様及び利点は、下記の図面を参照して実施例を説明することにより明らかになり、理解しやすくなる。
【００１９】
【図１】本願の実施例による鍋蓋アセンブリの構造模式図である。
【図２】図１のＡ−Ａに沿う断面の斜視図である。
【図３】図２のＢ構造の拡大図である。
【図４】本願の実施例による鍋蓋アセンブリの分解図である。
【図５】本願の一実施例による内蓋の構造模式図である。
【図６】本願の一実施例による内蓋の平面図である。
【図７】本願別の実施例による内蓋の構造模式図である。
【図８】本願の一実施例による排気ボックス蓋の一視角での構造模式図である。
【図９】本願の一実施例による排気ボックス蓋の別の視野角での構造模式図である。
【図１０】本願別の実施例による排気ボックス蓋の一視角での構造模式図である。
【発明を実施するための形態】
【００２０】
以下、本願の実施例について詳細に説明する。前記実施例の例示を図面に示し、同一または類似する符号は、常に同一または類似する部品、または同一または類似する機能を有する部品を表す。以下、図面を参照しながら説明される実施例は例示的なものであり、本願を解釈するもことにすぎず、本願を限定するものと理解されるべきではない。
【００２１】
なお、本願の説明において、「中心」、「縦方向」、「横方向」、「長さ」、「幅」、「厚さ」、「上」、「下」、「前」、「後」、「左」、「右」、「垂直」、「水平」、「頂部」、「底部」「内」、「外」、「時計回り」、「反時計回り」、「軸方向」、「ラジアル方向」、「周方向」などの用語が示す方位または位置関係は、図面に示す方位または位置関係に基づくものであり、単に本願の説明を容易にし、説明を簡単にするためのモノであり、指定された装置または部品が必ず特定の方位にあり、特定の方位において構造され、操作されることを指示または暗示することではないので、本願を限定するものと理解してはならない。また、「第１」、「第２」付きの特徴は、１つまたは複数の当該特徴を明示的または暗示的に含み得る。本願の説明において、特別な説明がない限り、「複数」は、２つまたは２つ以上を意味する。
【００２２】
なお、本願の説明において、明確な規定と限定がない限り、「取り付ける」、「互いに接続する」、「接続する」などの用語の意味は広義に理解されるべきである。例えば、固定的に接続されても、取り外し可能に接続されても、または一体的に接続されてもよいし、機械的に接続されても、電気的に接続されてもよいし、直接的に接続されても、中間媒体を介して間接的に接続されてもよいし、２つの部品の内部が連通していてもよい。当業者にとって、具体的な状況によって本願における上記用語の具体的な意味を理解することができる。
【００２３】
以下、図１〜図１０を参照しながら、本願の実施例による調理器具の鍋蓋アセンブリ１００について説明する。
【００２４】
図１〜図１０に示すように、本願の一実施例による調理器具の鍋蓋アセンブリ１００は、内蓋１０、排気ボックス体２０及び排気ボックス蓋３０を含む。
【００２５】
排気ボックス体２０は、内蓋１０に固定され、排気ボックス体２０によって頂部が開放されたチャンバ２０１が画定され、排気ボックス体２０の底壁にチャンバ２０１に連通する排気孔２２があり、排気ボックス蓋３０は排気ボックス体２０の頂部に取り付けられ、それによりチャンバ２０１の頂部の開口を閉じることができ、排気ボックス体２０に第１位置決めコラム２１が設けられ、第１位置決めコラム２１によって気流通路２１１が画定され、気流通路２１１の出口がチャンバ２０１に連通し、気流通路２１１の入口は抽気装置との連通に適合し、排気ボックス蓋３０は第１位置決めコラム２１に結合する第１位置決め孔３１を有し、第１位置決めコラム２１を第１位置決め孔３１内に挿通することにより、排気ボックス蓋３０に対して取り付けと位置決め役割を果たし、排気ボックス蓋３０と排気ボックス体２０との結合が容易になる。
【００２６】
本願の実施例による調理器具の鍋蓋アセンブリ１００は、抽気装置の一端に排気ボックス体２０を設置することにより、抽気装置は、蒸気が緩やかに放出されることができるように、抽出した気体を先にチャンバ２０１内に排出し、それにより騒音が低減する。そして、凝結水は、チャンバ２０１によって収集されて特定の排気孔２２を介して排出されることができ、電気回路システムの周辺まで流れてその信頼性及び安全性に影響を与えることを回避する。また、排気ボックス蓋３０の第１位置決め孔が気流通路２１１を有する第１位置決めコラム２１に結合することにより、構造が簡素化され、スペースを節約し、取り付けと固定が容易になり、結合の安全性及び信頼性が向上し、ユーザ体験が良い。
【００２７】
図３に示すように、本願の一実施例よれば、排気ボックス体２０の頂部の開口の以外に位置する頂部に支持台２３があり、第１位置決めコラム２１は支持台２３に設けられる。支持台２３には第１位置決めコラム２１内の気流通路２１１に導通される開口部があり、気流通路２１１は当該開口部を介してチャンバ２０１との導通を実現し、それにより抽気装置が抽出した気体が気流通路２１１を介してチャンバ２０１内に排入され、気流を緩衝する役割を果たす。また、支持台２３は、第１位置決めコラム２１の構造の安定性を保証し、排気ボックス体２０と排気ボックス蓋３０との安定的な接続が容易になる。
【００２８】
図４に示すように、本願の一実施例によれば、内蓋１０に第１位置決めコラム２１と離間して配置された第２位置決めコラム１１が設けられ、排気ボックス蓋３０は第２位置決めコラム１１に結合する第２位置決め孔３２を有する。即ち、第２位置決め孔３２は、第１位置決め孔３１と離間して配置され、排気ボックス体２０上の第１位置決めコラム２１を第１位置決め孔３１内に挿通するとともに、内蓋１０上の第２位置決めコラム２２を第１位置決め孔３１内に挿通することにより、排気ボックス蓋３０を排気ボックス２０に強固に固定することができ、構造の安定性がさらに向上する。
【００２９】
一部の例示において、抽気装置は、調理器具の調理チャンバが負圧になるように抽気するための真空ポンプ５０を含み、真空ポンプ５０は内蓋１０内に取り付けられ、真空ポンプ５０の入口は抽気孔（図示なし）との連通に適合し、真空ポンプ５０の出口は気流通路２１１の入口に連通し、それによりチャンバ２０１が真空ポンプ５０の出口と排気孔２２との間に接続され、排気ボックス体２０と排気蓋体３０との間に相対的に密閉されたチャンバが形成されるため、真空ポンプ５０が抽出した気体が気流通路２１１を介して相対的に密閉されたチャンバ２０１内に排入され、チャンバ２０１は気流を緩衝する役割を果たし、それにより気圧が緩やかに放出されるようにすることができ、真空ポンプ５０の動作中の騒音を低減する。
【００３０】
図１〜図３に示すように、一部の例示において、真空ポンプ５０は、少なくとも一部が排気ボックス蓋３０に取り付けられるとともに、第２位置決めコラム１１に結合する結合孔５１を有し、即ち、第２位置決めコラム１１を結合孔５１内に挿通することにより、真空ポンプ５０の内蓋１０への固定を実現し、排気ボックス蓋３０と真空ポンプ５０は同一の第２位置決めコラム１１を共用するため、占有スペースを節約し、また、排気ボックス蓋３０の他端は真空ポンプ５０の排気と同一の第１位置決めコラム２１を共用するため、取り付けして固定する必要がある部品の数をさらに減らし、組立効率を向上させる。
【００３１】
図３に示すよう、一部の具体的な例示において、真空ポンプ５０の一部は排気ボックス蓋３０の上面に固定され、排気ボックス蓋３０の上面の真空ポンプ５０に近い部分は水平面を形成して、真空ポンプ５０に対して干渉しない効果を奏し、排気ボックス蓋３０の他の部分は傾斜蓋板３６を形成し、傾斜蓋板３６は真空ポンプ５０に対して遠方から近方へ徐々に下方に傾斜して延伸し、傾斜蓋板３６の設置、即ち排気ボックス蓋３０の強度を増加するとともに、排気ボックス内のチャンバ２０１の容量を拡大することができ、それにより高圧気体がチャンバ２０１内で圧力を緩やかに開放することを保証し、騒音をさらに低減する。
【００３２】
図１に示すように、本願の一実施例によれば、排気ボックス体２０は内蓋１０のフレームに近接して設置され、内蓋１０のフレームに係止用突起１２があり、排気ボックス蓋３０は、内蓋１０のフレームに向かって延伸し、係止用突起１２との結合に適合する弾性バックル３３を有し、係止用突起１２と弾性バックル３３とを固定する方法の採用により、接続の信頼性を保証するとともに、取り付けが簡単になり、弾性バックル３３の押圧力によって排気ボックス蓋３０が押圧されることをよりよく保証し、排気ボックス蓋３０と排気ボックス体２０との密閉接続の実現を保証する。
【００３３】
さらに、内蓋１０のスペースを合理的に利用するために、排気ボックス体２０は内蓋１０の後側に位置し、排気孔からの排気が容易になり、排気ボックス体２０及び内蓋１０内のワイヤーソケットボックス６０はそれぞれ内蓋１０の中心線の両側に位置し、それにより、蒸気とワイヤーソケットボックス６０内の配線端子との接触を効果的に回避して、電気を使用時の安全を保証する。
【００３４】
図９に示すように、本願の一実施例によれば、排気ボックス蓋３０の排気ボックス体２０に向く側に環状溝３４が設けられ、環状溝３４にはシールリング４０が設けられ、排気ボックス蓋３０はシールリング４０を介して排気ボックス体２０に密閉接続され、それにより、チャンバ２０１内に相対的に密閉されたスペースが形成され、気流がチャンバ２０１内に流入するように保証し、排気ボックス蓋３０と排気ボックス体２０との間の隙間から流出して、余分な騒音が発生して、ユーザ体験に影響を与えることが発生しない。
【００３５】
一部の具体的な例示において、排気ボックス体２０は内蓋１０と一体に成形され、即ち、排気ボックス体２０の底壁が内蓋１０であり、排気ボックス体２０上の弾性バックル３３は内蓋１０上の係止用突起１２に結合して固定され、このとき、弾性バックル３３の押圧力によってシールリング４０が押圧されることをより良く保証し、密閉の信頼性をさらに向上させる。
【００３６】
本願の一実施例によれば、排気ボックス体２０及び排気ボックス蓋３０のうちの１つに、チャンバ２０１内に向かって延伸する保持リブ２４が設けられ、気流通路２１１及び排気孔２２の、排気ボックス体２０の底壁上での投影は保持リブ２４の両側に位置し、チャンバ２０１内に保持リブ２４を設置することにより、チャンバ２０１内に入る蒸気の流速を緩衝することができ、また、気流通路２１１及び排気孔２２を保持リブ２４の両側に限定することにより、蒸気の流動経路を増加して、蒸気の圧力が開放される速度をさらに低下させ、騒音を低減し、それ以外、保持リブ２４の構造も騒音に対して一定の吸収効果があるため、騒音をより一層低減し、ユーザ体験が向上する。
【００３７】
一部の具体的な例示において、保持リブ２４と排気ボックス体２０の底壁との間に切欠きが設けられ、蒸気が凝結水に形成された後、凝結水が切欠きを介して排気孔２２まで流れて排出されることができることが容易になる。
【００３８】
本願の一実施例によれば、鍋蓋アセンブリ１００は調理器具に枢動可能に接続されている鍋本体に適合し、第１位置決めコラム２１の鍋蓋アセンブリ１００の枢動軸１３に近接し、且つ排気孔２２は排気ボックス体２０の底壁において第１位置決めコラム２１から最も遠い位置に位置し、即ち排気孔２２はユーザが蓋を開けるボタンに近い方向に設置され、ユーザが上蓋を開けるときに、蒸気が凝結して形成した凝結水が直接排気孔２２から流出しないことを保証し、蓋を開けるときにチャンバ２０１内の凝結水の流出でユーザ体験が影響されることを回避する。
【００３９】
本願の一実施例によれば、排気ボックス体２０の底壁の内面にガイド傾斜面があり、ガイド傾斜面は、排気孔２２に対して遠方から近方へ徐々に下方に傾斜して延伸し、蒸気が凝結水になった後、凝結水が排気孔２２まで流れることが容易になり、凝結水の排出が容易になる。
【００４０】
さらに、排気孔２２はトランペット状に類似する形状に形成され、即ち上から下への方向に沿って、排気孔２２の水平断面のサイズが徐々に小さくなり、それにより凝結水を排出するときの水の張力を小さくし、水のガイドを容易にする役割を果たすとともに、構造の強度を増加させ、長時間使用された後に変形して、後続の排気と排水に影響を与えることを回避する。
【００４１】
本願の一実施例によれば、排気ボックス蓋３０のチャンバ２０１に向く側に離間して配置される複数の凸起３５が設けられ、凸起３５は騒音に対して一定の吸収効果があるため、騒音をより一層低減し、ユーザ体験が向上する。
【００４２】
本願の実施例による調理器具は、本願の実施例による調理器具の鍋蓋アセンブリ１００を含み、上記鍋蓋アセンブリ１００の採用により、抽気装置の動作時の騒音を低減し、凝結水が気体とともに噴出されて調理器具の安全性能に影響を与えることを回避し、また、排気ボックスは、構造が簡単で、占有スペースが少なく、取り付けと固定が容易になり、取り外しやすく、ユーザ体験が良い。
【００４３】
本願の一実施例によれば、調理器具は電気炊飯器であり、以下、図１〜図４及び図８と図１０を参照しながら、本願による電気炊飯器の一具体的な実施例について説明する。
【００４４】
電気炊飯器は、鍋本体、鍋蓋アセンブリ１００及び抽気装置を含み、鍋本体に、頂部が開放された調理チャンバが画定され、鍋蓋アセンブリ１００は枢動軸１３に沿って鍋本体に枢動可能に接続され、鍋蓋アセンブリ１００は内蓋１０、排気ボックス体２０及び排気ボックス蓋３０を含む。
【００４５】
排気ボックス体２０は前後方向に沿って延伸し、排気ボックス体２０は内蓋１０の後側に固定されるとともに内蓋１０のフレームに近接して設置され、排気ボックス体２０及び内蓋１０内のワイヤーソケットボックス６０はそれぞれ内蓋１０の中心線の両側に位置し、製造時に、排気ボックス体２０と内蓋１０とは一体に成形される。
【００４６】
排気ボックス体２０に、頂部が開放されたチャンバ２０１が画定され、排気ボックス体２０の底壁に排気孔２２があり、排気孔２２はチャンバ２０１に連通し、排気孔２２は枢動軸１３から離れた一端に位置し、排気孔２２はトランペット状に類似する形状に形成され、即ち上から下への方向に沿って、排気孔２２の水平断面のサイズが徐々に小さくなり、排気ボックス体２０の底壁の内面にガイド傾斜面があり、ガイド傾斜面は排気孔２２に対して遠方から近方へ徐々に下方に傾斜して延伸する。
【００４７】
排気ボックス体２０の頂部の開口の以外に位置する頂部に支持台２３を有し、支持台２３に第１位置決めコラム２１が設けられ、第１位置決めコラム２１に気流通路２１１が画定され、支持台２３に第１位置決めコラム２１内の気流通路２１１に導通される開口部があり、気流通路２１１は当該開口部を介してチャンバ２０１に導通される。
【００４８】
排気ボックス体２０の底壁には、チャンバ２０１内に向かって延伸した保持リブ２４が設けられ、保持リブ２４と排気ボックス体２０の底壁との間に切欠きがあり、気流通路２１１及び排気孔２２の、排気ボックス体２０の底壁上での投影は保持リブ２４の両側に位置する。
【００４９】
排気ボックス蓋３０は、排気ボックス体２０の頂部に取り付けられ、排気ボックス蓋３０はチャンバ２０１の頂部の開口を閉じることができ、排気ボックス蓋３０は第１位置決め孔３１及び第２位置決め孔３２を有し、第１位置決め孔３１と第２位置決め孔３２は離間して配置され、第１位置決め孔３１は第１位置決めコラム２１に結合し、内蓋１０には第２位置決めコラム１１が設けられ、第２位置決めコラム１１は第１位置決めコラム２１と対応し、離間して配置され、第２位置決め孔３２は第２位置決めコラム１１に結合し、内蓋１０のフレームに係止用突起１２があり、排気ボックス蓋３０は弾性バックル３３を有し、弾性バックル３３は内蓋１０のフレームに向かって延伸し、第１位置決めコラム２１を第１位置決め孔３１内に挿通することにより、第２位置決めコラム１１を第２位置決め孔３２内に挿通し、弾性バックル３３は係止用突起１２に係り止められ、排気ボックス蓋３０の内蓋１０への取り付けと固定を実現する。
【００５０】
排気ボックス蓋３０と排気ボックス体２０とを密閉接続するように、排気ボックス蓋３０の下側には環状溝３４が設けられ、環状溝３４内にはシールリング４０が設けられており、チャンバ２０１内の騒音に対して一定の吸収効果があるように、排気ボックス蓋３０の下側の表面には離間して配置される複数の凸起３５が設けられる。
【００５１】
抽気装置は、調理チャンバが負圧になるように抽気するための真空ポンプ５０を含み、真空ポンプ５０の入口は鍋蓋アセンブリ１００の抽気孔との連通に適合し、真空ポンプ５０の出口は排気管５２を介して気流通路２１１に連通する。
【００５２】
真空ポンプ５０の一部は排気ボックス蓋３０の上面に固定され、排気ボックス蓋３０の上面の真空ポンプ５０に近い部分は水平面を形成し、排気ボックス蓋３０の他の部分は傾斜蓋板３６を形成し、傾斜蓋板３６は真空ポンプ５０に対して遠方から近方へ向かって徐々に下方に傾斜して延伸し、真空ポンプ５０は第２位置決めコラム１１に結合する結合孔５１を有し、第２位置決めコラム１１を結合孔５１内に挿通することにより、真空ポンプ５０の固定を実現する。
【００５３】
上記鍋蓋アセンブリ１００の採用により、真空ポンプ５０の動作時の騒音を低減し、凝結水が気体とともに噴出されて電気炊飯器の安全性能に影響を与えることを回避し、また、構造が簡単で、複数の構造が同一の固定構造を共用し、占有スペースが少なく、取り付けと固定が容易になり、取り外しやすく、ユーザ体験が良い。
【００５４】
本願の実施例による調理器具の他の構成及び操作は、当業者にとっては既知のものであるので、ここでは詳細な説明を省略する。
【００５５】
本明細書の説明において、「一実施例」、「一部の実施例」、「例示的な実施例」、「例示」、「具体的な例示」、または「一部の例示」などの用語を用いた説明とは、当該実施例または例示の記述を参照した具体的な特徴、構造、材料または特性が、本願の少なくとも１つの実施例または例示に含まれていることを意図するものである。本明細書において、上記用語に関する例示的な記述は、必ずしも同一の実施例または例示を示すものとは限らない。また、いずれかの１つまたは複数の実施例または例示において、記述される具体的な特徴、構造、材料または特性を適切な方式で組み合わせることができる。
【００５６】
本願の実施例を示し、説明したが、当業者であれば、本願の原理及び趣旨を逸脱しない範囲でこれらの実施例に対して様々な変更、修正、置換及び変形を行うことができ、本願の範囲は特許請求の範囲及びそれと同等なもの限定されることを理解できるだろう。
【符号の説明】
【００５７】
１００  鍋蓋アセンブリ
１０  内蓋
１１  第２位置決めコラム
１２  係止用突起
１３  枢動軸
２０  排気ボックス体
２０１  チャンバ
２１  第１位置決めコラム
２１１  気流通路
２２  排気孔
２３  支持台
２４  保持リブ、
３０  排気ボックス蓋
３１  第１位置決め孔
３２  第２位置決め孔
３３  弾性バックル
３４  環状溝
３５  凸起
３６  傾斜蓋板、
４０  シールリング、
５０  真空ポンプ
５１  結合孔
５２  排気管
６０  ワイヤーソケットボックス
【図１】
2021530275.tif 000003
【図２】
2021530275.tif 000004
【図３】
2021530275.tif 000005
【図４】
2021530275.tif 000006
【図５】
2021530275.tif 000007
【図６】
2021530275.tif 000008
【図７】
2021530275.tif 000009
【図８】
2021530275.tif 000010
【図９】
2021530275.tif 000011
【図１０】
2021530275.tif 000012
【国際調査報告】
2021530275.tif 000013
2021530275.tif 000014
2021530275.tif 000015
2021530275.tif 000016